(57)【特許請求の範囲】
【請求項１】
施肥装置の肥料繰出部の駆動軸と薬剤散布装置の薬剤繰出部の駆動軸とを一直線上に配置し、前記薬剤散布装置の薬剤ホッパ−を移動作業車の操縦席の後方位置に配設し、該薬剤ホッパ−の左右両側方には施肥装置の肥料ホッパ−を配置すると共に、この左右肥料ホッパ−はそれぞれの前端が操縦席の後端より前側に位置するよう配設してあることを特徴とする施肥機。
【発明の詳細な説明】
【０００１】
【発明の属する技術分野】
この発明は、肥料を圃場に散布する施肥機に関し、農業機械の技術分野に属する。
【０００２】
【従来の技術】
施肥しながら同時に田植作業を行なう施肥装置付田植機は知られている。また、この田植作業と同時に除草剤を散布する薬剤散布装置付田植機も知られている。
【０００３】
【発明が解決しようとする課題】
かかる従来技術のものでは、施肥装置の肥料繰出部と薬剤散布装置の薬剤繰出部とは別々に駆動する構成であった為、伝動構成が複雑となり、軽量、安価に実施し難い問題があった。本発明は、かかる問題点を解消することにある。
【０００４】
【課題を解決するための手段】
この発明は、上記課題を解決すべく次のような技術的手段を講じた。
【０００５】
すなわち、施肥装置の肥料繰出部の駆動軸と薬剤散布装置の薬剤繰出部の駆動軸とを一直線上に配置し、前記薬剤散布装置２の薬剤ホッパ−２３を移動作業車の操縦席９の後方位置に配設し、該薬剤ホッパ−の左右両側方には施肥装置１の肥料ホッパ−１４を配置すると共に、この左右肥料ホッパ−１４、１４はそれぞれの前端が操縦席９の後端より前側に位置するよう配設してあることを特徴とする。
【０００６】
【０００７】
【発明の効果】
本発明の第１の具体的手段によれば、肥料繰出部と薬剤繰出部の駆動軸を一直線上に配置するので、両駆動軸を同一軸に構成することが容易であり、一連の伝動構成を簡潔にし、軽量で安価に実施することができる。
【０００８】
更に、肥料と薬剤の使用量に見合ったホッパ−容量を確保しつつ、操縦席と肥料及び薬剤の繰出部を近接させることで、作業車の機体全長を短くし、前後バランスを良好に保持することができる。
【０００９】
【発明の実施の形態】
この発明の実施例を図面に基づき説明する。
図１及び図２は、移動作業車の一例として乗用型の田植機に粒状の肥料を圃場に散布する施肥装置１と除草用の薬剤を圃場に散布する薬剤散布装置２が装着された乗用型田植機３を示すものであり、この乗用型田植機３は、この機体３の前後に走行車輪としての左右一対の前輪４，４及び後輪５，５が架設されている。車体上前部に操作ボックス６及びステアリングハンドル７等を有する操縦装置が設置され、車体後方部には昇降可能な苗植付部８が装備されている。
【００１０】
操縦装置の後側に操縦席９が設置され、操縦席９の下側に田植機の各部に動力を伝達するエンジン１０が搭載されている。
苗植付部８は、左右に往復動する苗載タンク１１、１株分の苗を切取って土中に植込む４条分の苗植付装置１２、苗植付面を整地するフロ−ト１３等からなる。
【００１１】
施肥装置１は、苗植付部８の前方に設けられていて、圃場に散布する粒状肥料を収容する肥料ホッパ−１４と各条毎の肥料繰出部１５…と肥料の搬送を案内する各条毎の肥料案内管１７…と該案内管１７…に圧風を送給する施肥エアチャンバ−１８と該施肥エアチャンバ−１８に圧風を送給するブロワ−１９等からなる構成である。
【００１２】
肥料繰出部１５…は、肥料ホッパ−１４の下側に設けられ、繰出ロ−ラ１５ａ，１５ａと１５ｂ，１５ｂが繰出駆動軸１６を介して回転することにより所定量毎に肥料を各条の前記案内管１７…に供給されるようになっている。
各肥料案内管１７…に供給された粒状肥料は、施肥エアチャンバ−１８からの圧風により該案内管１７…、肥料移送管２０…を介して該肥料移送管２０…終端に設けられた施肥部２１…へ搬送されて圃場に散布される。
【００１３】
施肥部２１…は、作溝器２２を備えて構成され、前記肥料移送管２０…により接続され、苗植付部８による各条の圃場の苗植付位置の側部であって作溝された溝内に肥料が供給されるようになっている。
薬剤散布装置２は、操縦席９の後側部に設けられていて、圃場に散布する除草用の粒状薬剤を収容する薬剤ホッパ−２３，２３と、この下方に設けられた複数の薬剤繰出部２４，２４と、薬剤の搬送を案内する複数の薬剤案内管２５，２５と、該薬剤案内管２５，２５に連通されて後方の苗植付部８側に延設される薬剤移送管２６，２６と、該薬剤移送管２６，２６の先端に設けられていて数個の散布口２７…を開口した散布管２８，２８等とからなる。
【００１４】
薬剤繰出部２４，２４は、薬剤ホッパ−２３，２３の下側に設けられ、繰出ロ−ラ２４ａ，２４ｂが繰出駆動軸２９を介して回転することにより所定量毎に薬剤を各薬剤案内管２５，２５に供給されるようになっている。
各薬剤案内管２５，２５に供給された薬剤は、施肥エアチャンバ−１８からの圧風により該案内管２５，２５、薬剤移送管２６，２６を介して散布管２８，２８へ搬送されて散布口２７…から圃場に散布される。
【００１５】
図２〜図４で示すように、前記肥料ホッパ−１４及び肥料繰出部１５は、機体の後部で操縦席９と苗植付部８との間にあって左右に分離して配設した構成としている。そして、前記左側の肥料ホッパ−１４Ｌ１，１４Ｌ２と右側の肥料ホッパ−１４Ｒ３，１４Ｒ４との間の空間内には前記薬剤散布装置２を配置する。つまり、該装置２の薬剤ホッパ−２３，２３を配置すると共に、これら左右の肥料ホッパ−及び中央の薬剤ホッパ−を左右横方向に並列させて設けた構成としている。そして、更に、肥料繰出部１５の繰出駆動軸１６と薬剤繰出部２４の繰出駆動軸２９とは横方向一直線上に配置する。つまり、両軸１６、２９を同一軸線上に配置すると共に、スプライン軸等で嵌合連結することにより両者が一体的に回転駆動するよう連動構成している。従って、これによれば、一連の伝動構成がシンプルなものとなる。
【００１６】
また、左右の肥料ホッパ−１４Ｌ１，１４Ｌ２及び１４Ｒ３，１４Ｒ４は、前端が操縦席９の後端より適宜の距離（図４に示すＤ間隔）前側に位置するよう配置し、中間の薬剤ホッパ−２３，２３は操縦席９の後側に近接して配置している。
【００１７】
従って、かかる配置構成によれば、機体全長が短かくなり、前後バランスが良好に保持されることになる。
前記苗植付部８は、主ミッションケ−ス３０内からの動力を伝達する作業伝動軸３１、植付伝動ケ−ス３２を介して植付伝動軸３３により伝動されて作動する構成となっている。尚、この植付伝動ケ−ス３２には苗植付部８の駆動の入切を行う植付クラッチが内蔵されている。
【００１８】
前記肥料繰出部１５と薬剤繰出部２４の駆動構成は、前記植付伝動ケ−ス３２からの伝動により、クランクア−ム３４、上下方向に往復動するロッド３５、往復回動する回動軸３６、往復動杆３７、ラチエット機構３８等からなる伝動系統を介して繰出駆動軸１６，２９が間欠的に回転駆動される構成である。
【００１９】
図５に示す実施例では、肥料繰出部１５と薬剤繰出部２４への伝動経路中には２条（植）毎の肥料・薬剤散布作業の入切を行う動力断続用クラッチ３９（ａ），３９（ｂ）を設けてある。一方側のクラッチ３９（ａ）は、条クラッチレバ−４０（ａ）の操作により断続する構成であり、これをクラッチ切り方向に操作すると、肥料繰出部１５の繰出ロ−ラ１５ａ，１５ａ及び薬剤繰出部２４の繰出ロ−ラ２４ａへの駆動が停止されるようになっている。また、他方側のクラッチ３９（ｂ）は、条クラッチレバ−４０（ｂ）の操作により断続する構成であり、これをクラッチ切り方向に操作すると、肥料繰出部１５の繰出ロ−ラ１５ｂ，１５ｂ及び薬剤繰出部２４の繰出ロ−ラ２４ｂへの駆動が停止されるようになっている。
【００２０】
なお、前記条クラッチレバ−４０（ａ），４０（ｂ）には、ワイヤ−等の連動機構を介して各２条毎の苗植付装置及び苗送りベルトへの駆動断続クラッチ部に連動連結し、該条クラッチレバ−４０（ａ）又は４０（ｂ）の操作により、各２条毎の施肥及び薬剤散布作業の入切に連動して苗植付装置及び苗送りベルトの駆動が入切されるようにしておくとよい。
【００２１】
植付条数があと２条植分しか残されていない場合、２条分の苗供給及び苗植付を停止する。同時に、この２条分の植付停止に対応して各２条分の肥料散布及び薬剤散布をも停止する必要がある。このような場合、上記条クラッチレバ−４０（ａ），４０（ｂ）の操作で簡単に行うことができる。
【００２２】
図６に示す実施例について説明すると、肥料ホッパ−１４と肥料繰出部１５とからなる施肥装置において、肥料ホッパ−１４は肥料繰出部１５に対して着脱自在であり、肥料繰出部１５は、繰出ロ−ラ１５ａとこの繰出ロ−ラ１５ａを挟む上部カプセル１５ｕと下部カプセル１５ｄとからなり、この上下のカプセル１５ｕ，１５ｄは繰出駆動軸１６の軸芯より上下に分割できる構成とし、繰出ロ−ラ１５ａを上下に抱合せ状態に支承させた構成としている。また、前記ホッパ−１４と下部カプセル１５ｄとは、係止フック４１と係止杆４２とにより、ワンタッチで係止保持できる構成としている。なお、４３は位置決め突起を示す。かかる構成によれば、分解、組立が容易であり、掃除やメンテを容易に行うことができる。
【００２３】
また、図７に示す実施例では、ホッパ−１４内に肥料の残り量を検出する残量センサ−（静電容量センサ−）４４が取付板４５を介してカプセル１５ｕ（１５ｄ）側に固定して設けられ、そして、前記ホッパ−には残量センサ−４４に対応する部分に切欠窓４６が設けられ、ホッパ−１４は係止フック４１と係止杆４２とにより、ワンタッチで着脱できるように構成されている。肥料ホッパ−１４をカプセル側にドッキングすれば残量センサ−４４による残量検出が可能となり、ホッパ−を取り外せば、残量排出や肥料補給が容易にできる。なお、ホッパ−１４側には図示していないが開閉自在なシャッタ−が設けられている。図中、４７は網を示す。
【図面の簡単な説明】
【図１】施肥装置付乗用型田植機の側面図
【図２】施肥装置付乗用型田植機の平面図
【図３】同上要部の斜視図
【図４】同上要部の斜視図
【図５】同上要部の斜視図
【図６】施肥装置の分解斜視図
【図７】施肥装置の斜視図
【図８】同上要部の切断平面図
【符号の説明】
１    施肥装置、                    ２    薬剤散布装置
３    田植機体                      ４    前輪
５    後輪                          ６    操作ボックス
７    ステアリングハンドル          ８    苗植付部
９    操縦席                      １０    エンジン
１１    苗載タンク                  １２    苗植付装置
１３    フロ−ト                    １４    肥料ホッパ−
１５    肥料繰出部                  １５ａ  肥料繰出ロ−ラ
１５ｂ  肥料繰出ロ−ラ              １６    肥料繰出駆動軸
１７    肥料案内管                  １８    施肥エアチャンバ−
１９    ブロワ−                    ２０    肥料移送管
２１    施肥部                      ２３    薬剤ホッパ−
２４    薬剤繰出部                  ２４ａ  薬剤繰出ロ−ラ
２４ｂ  薬剤繰出ロ−ラ              ２５    薬剤案内管
２６    薬剤移送管                  ２８    散布管
２９    薬剤繰出駆動軸              ３２    植付伝動ケ−ス
３４    クランクア−ム              ３５    ロッド
３６    回動軸                      ３７    往復動杆
３８    ラチエット機構              ３９(a)  動力断続用クラッチ
３９(b)  動力断続用クラッチ          ４０(a)  条クラッチレバ−
４０(b)  条クラッチレバ−
【図１】
0004724956.tif 000002
【図２】
0004724956.tif 000003
【図３】
0004724956.tif 000004
【図４】
0004724956.tif 000005
【図５】
0004724956.tif 000006
【図６】
0004724956.tif 000007
【図７】
0004724956.tif 000008
【図８】
0004724956.tif 000009